(57)【特許請求の範囲】
【請求項１】
コインを多数収納可能なコイン収納手段と、
前記コイン収納手段から排出されたコインを所定の位置まで搬送して前記コインを払い出すコイン搬送手段と、を備え、
前記コイン搬送手段は、螺旋状に形成された溝を有するスパイラル状部材と、前記スパイラル状部材を回転駆動させるスパイラル状部材回転駆動手段と、前記スパイラル状部材により搬送された前記コインを排出するための２つの排出部と、を有しており、前記コイン収納手段から排出された前記コインを前記溝に係合させつつ前記スパイラル状部材を回転させることにより前記コインを搬送し、
前記２つの排出部は、前記スパイラル状部材の回転軸を挟んで当該スパイラル状部材の両側に位置していることを特徴とするコイン払出装置。
【請求項２】
前記コイン収納手段から排出される前記コインを整列させて前記コイン搬送手段に供給する整列手段を更に備えていることを特徴とする請求項１に記載のコイン払出装置。
【発明の詳細な説明】
【０００１】
【発明の属する技術分野】
本発明は、コイン、メダルあるいはトークン等（本発明では、これらをまとめてコインと称する）を払い出すためのコイン払出装置に関する。
【０００２】
【従来の技術】
この種のコイン払出装置として、たとえば特開平９−２１２７００号公報に開示されたようなものが知られている。この特開平９−２１２７００号公報に開示されたコイン払出装置は、コインを多数収容可能なバケットと、バケットの底部に設けられた回転円板と、回転円板を回転駆動するモータとを備えている。回転円板には、バケット内のコインが入る大きさに形成された複数の開口が、回転円板の円周方向に並んで配置されている。そして、特開平９−２１２７００号公報に開示されたコイン払出装置は、バケットから開口内に入ったコインを受けるコイン受け板と、回転円板の裏面に一体となって回転するように設けられ、コイン受け板で受けたコインを回転円板の回転により中心から離れる方向に案内するコイン送出ガイド板と、コイン送出ガイド板に案内されたコインを排出するコイン排出手段とを更に備えている。
【０００３】
【発明が解決しようとする課題】
しかしながら、上述した構成のコイン払出装置にあっては、回転円板、コイン受け板、コイン送出ガイド板等が必要となるため、構成部品点数が増加して高コスト化を招来すると共に、コイン払出装置の構成が複雑且つ大型になるという問題を有している。
【０００４】
また、上述した構成のコイン払出装置では、モータにより回転円板、コイン受け板、及び、コイン送出ガイド板を回転駆動する構成となっていることから、駆動手段としてのモータに掛かる負荷が大きくなる。このため、このためモータが劣化しやすく、また消費電力が大きくなるという難点があった。
【０００５】
本発明は上述の点に鑑みてなされたもので、構成部品点数の増加にともなうコストの増加を抑制し、構成を簡素化することが可能なコイン払出装置を提供することを目的とする。
【０００６】
【課題を解決するための手段】
本発明に係るコイン払出装置は、コインを多数収納可能なコイン収納手段と、コイン収納手段から排出されたコインを所定の位置まで搬送してコインを払い出すコイン搬送手段と、を備え、コイン搬送手段は、螺旋状に形成された溝を有するスパイラル状部材と、スパイラル状部材を回転駆動させるスパイラル状部材回転駆動手段と、スパイラル状部材により搬送されたコインを排出するための２つの排出部と、を有しており、コイン収納手段から排出されたコインを溝に係合させつつスパイラル状部材を回転させることによりコインを搬送し、２つの排出部は、スパイラル状部材の回転軸を挟んで当該スパイラル状部材の両側に位置していることを特徴とする。
【００１０】
本発明に係るコイン払出装置では、コイン収納手段とコイン搬送手段とを備えている。特に、コイン搬送手段は、スパイラル状部材とスパイラル状部材回転駆動手段とを有しており、コイン収納手段から排出されたコインを溝に係合させつつスパイラル状部材を回転させることによりコインを搬送して、コインを払い出す。これにより、コインの払い出しがコイン搬送手段、すなわちスパイラル状部材とスパイラル状部材回転駆動手段とにより行われることになり、構成部品点数が削減されて低コスト化が可能になると共に、構成の簡素化も可能となる。また、スパイラル状部材回転駆動手段により駆動される構成要素が少なくなり、コインの払い出し時においてスパイラル状部材回転駆動手段に掛かる負荷を可及的に低減することができる。また、コイン搬送手段が、スパイラル状部材により搬送されたコインを排出するための排出部をスパイラル状部材の回転軸を挟んで２つ有することにより、単位時間当りのコインの払い出し枚数を増やすことができ、コインの払い出し速度を速くすることができる。
【００１１】
また、コイン収納手段から排出されるコインを整列させてコイン搬送手段に供給する整列手段を更に備えていることが好ましい。このように、コイン収納手段から排出されるコインを整列させてコイン搬送手段に供給する整列手段を更に備えることにより、コインが目詰まりすることなく、コイン搬送手段に対してコインを確実に供給することができる。
【００１２】
【発明の実施の形態】
以下、図面を参照しながら本発明によるコイン払出装置の好適な実施形態について詳細に説明する。なお、図面の説明において同一の要素には同一の符号を付しており、重複する説明は省略する。なお、本実施形態においては、本発明をスロットマシン等のコインを遊技媒体とする遊技機のコイン払出装置に適用した例を示す。
【００１３】
図１は、本発明の実施形態に係るコイン払出装置の全体の外観を示す斜視図であり、図２及び図３は、同じく本実施形態に係るコイン払出装置の要部拡大断面図であり、図４は、同じく本実施形態に係るコイン払出装置の分解斜視図である。なお、図４においては、基台７の図示を省略している。
【００１４】
このコイン払出装置１は、図１に示されるように、コイン収納部（コイン収納手段）３と、コイン搬送部（コイン搬送手段）５と、これらコイン収納部３及びコイン搬送部５を支持する枠体として形成される基台７とを備えている。
【００１５】
コイン収納部３は、多数のコインＣ（たとえば、２０００枚程度）を収納可能に構成されたホッパ部１１と、ホッパ部１１の下側に接続されるホッパタンク部１２とを有している。ホッパ部１１は略漏斗状に形成されており、このホッパ部１１には、遊技者により投入されたコイン及び従業員により補給されたコインが収納される。ホッパタンク部１２は、タンク取付板１３を介して基台７に固定される。
【００１６】
ホッパ部１１とホッパタンク部１２との間には、図２に示されるように、ホッパ部１１に収納されているコインＣをスムーズにホッパタンク部１２に流すための案内板１４が設けられている。案内板１４は、ホッパ部１１とホッパタンク部１２とに挟持されており、傾斜した状態で配設されている。案内板１４により、ホッパ部１１からホッパタンク部１２にコインＣが流れる通路面積が絞られ、ホッパ部１１から一度に大量のコインＣがホッパタンク部１２に流れるのを抑制している。これにより、１０数枚〜数１０枚程度のコインＣが、案内板１４の傾斜面を流れスムーズにホッパタンク部１２に流れ込む。
【００１７】
ホッパタンク部１２の出口部近傍には、図２に示されるように、整列板（整列手段）１５がホッパタンク部１２に対して揺動可能に設けられている。整列板１５は、略Ｕ字状に形成された一対の腕部１５ａを有している。夫々の腕部１５ａがホッパタンク部１２に形成された一対の穴部１２ａに係合されることにより、整列板１５がホッパタンク部１２に対して揺動可能となっている。整列板１５は、その自重により、所定枚数（１０数枚程度）以上のコインＣがホッパタンク部１２の出口部から流れ出るのを抑制している。これにより、ホッパタンク部１２と整列板１５の端部との間を通って１０数枚程度のコインＣが整列されながらスムーズに流れていくことになる。
【００１８】
ホッパタンク部１２の出口部近傍における整列板１５よりも下流側には、図２に示されるように、攪拌板（攪拌部材）１６が回転可能に設けられている。攪拌板１６は、ホッパタンク部１２と整列板１５の端部との間を通ったコインＣを攪拌する爪部１６ａを有している。ホッパタンク部１２と整列板１５の端部との間を通って流れ出たコインＣは、ホッパタンク部１２の出口部に形成された段差部１２ｂで落下すると共に、攪拌板１６の回転に伴い爪部１６ａにより攪拌されて、数枚程度づつ流れていき、ホッパタンク部１２（コイン収納部３）から整列されて排出されることになる。
【００１９】
ホッパタンク部１２（コイン収納部３）から排出されたコインＣは、コイン搬送部５に入る。このコイン搬送部５は、螺旋状に形成された溝を有するスパイラル状部材２１と、スパイラル状部材２１を収容する左右２分割タイプのケーシング２２と、スパイラル状部材を回転駆動させるモータ（スパイラル状部材回転駆動手段）４１と、を有している。ケーシング２２の底部にはベース部材２３が取付け固定されており、このベース部材２３がタンク取付板１３に固定されることにより、ケーシング２２がタンク取付板１３に対して固定されることとなる。ケーシング２２の上部は、基台７に固定された支持板２４に支持される。
【００２０】
スパイラル状部材２１の一端は、軸受部材２５を介してベース部材２３に回転可能に軸支されており、また、他端は軸受部材２５を介してケーシング２２に回転可能に軸支されている。スパイラル状部材２１の溝の間隔（幅）は、一枚のコインＣが溝に入り込む程度に設定されており、二枚以上のコインＣが溝に入り込まないようになっている。スパイラル状部材２１の溝の他端側端部には、移動（搬送）してきたコインＣに当接してこのコインＣを押し出して排出するための突起部２６が設けられている。
【００２１】
スパイラル状部材２１の他端側端部には、モータ４１からの回転駆動力を伝えるための回転軸２７が係合している。回転軸２７のスパイラル状部材２１側端部にはＤ型カット面が形成され、スパイラル状部材２１の他端側となる端部には、Ｄ型穴が形成されている。スパイラル状部材２１のＤ型穴は回転軸２７のＤ型カット面に嵌挿されるようになっており、スパイラル状部材２１のＤ型穴に回転軸２７のＤ型カット面を嵌挿することにより、スパイラル状部材２１と回転軸２７とが一体的に回転するように構成される。
【００２２】
ケーシング２２の下部には、図４に示されるように、ホッパタンク部１２（コイン収納部３）から整列されて排出されたコインＣをケーシング２２内に導くための入口開口部３１が一対形成されている。この入口開口部３１は、スパイラル状部材２１の回転軸を挟んで両側に位置している。なお、入口開口部３１は、スパイラル状部材２１の回転軸の両側に跨るように形成された１つの開口部であってもよい。
【００２３】
ケーシング２２の上部には、ケーシング２２内からコインＣを排出するための排出開口部（排出部）３２が一対形成されている。この排出開口部３２は、図３に示されるように、入口開口部３１と同様に、スパイラル状部材２１の回転軸を挟んで両側に位置している。また、排出開口部３２と入口開口部３１とは、スパイラル状部材２１の回転軸方向から見て、スパイラル状部材２１の回転軸を挟んで反対側に位置している。なお、排出開口部３２の数は、１つとしてもよい。
【００２４】
ケーシング２２の内側には、ケーシング２２内でのコインＣの移動（搬送）をスムーズに行わせるために、低摩擦部材３３が配設されている。
【００２５】
ケーシング２２には、排出開口部３２に対応した位置に払い出しガイド部３４が接続されて固定されている。この払い出しガイド部３４は、排出開口部３２から排出されたコインＣを案内するためのものであり、底部３５と蓋部３６とからなる。また、払い出しガイド部３４には、排出開口部３２から排出され払い出しガイド部３４を通過するコインＣを検出するコインセンサ３７（払出コイン検出手段）が設けられている。コインセンサ３７としては、既知の反射型あるいは透過型のフォトセンサ、光電式近接センサ、あるいは、静電容量式近接センサ等が用いられ、排出されたコインＣが通過する毎に検出パルスを生成して出力する。
【００２６】
モータ４１は、図１及び図４に示されるように、モータ取付板４２を介してギアボックス部４３に固定されている。ギアボックス部４３は、所定数のギアからなるギア列（図示せず）を有しており、モータ４１の回転駆動力を所定のギア比にて回転軸２７に伝えるように構成されている。これにより、モータ４１の回転駆動力は、ギアボックス部４３のギア列及び回転軸２７を介して、スパイラル状部材２１に伝えられる。回転軸２７は、軸受部材を介してギアボックス部４３に回転可能に軸支されている。また、ギアボックス部４３は支持板２４に固定されている。
【００２７】
回転軸２７には、駆動歯車４５が嵌着されている。さらに、この駆動歯車４５と噛合する従動歯車４６が設けられており、従動歯車４６は、支持軸４７により回転自在に軸支されている。支持軸４７は、支持板２４に固定されている。
【００２８】
攪拌板１６には、攪拌ギア１７が取り付け固定されており、この攪拌ギア１７は、支持部材１８に軸受部材１９を介して回転可能に軸支されている。攪拌ギア１７は、支持部材１８に軸支された状態で、従動歯車４６と噛合するように構成されており、モータ４１の回転駆動力がギアボックス部４３のギア列及び回転軸２７、駆動歯車４５及び従動歯車４６を介して、攪拌ギア１７に伝えられる。これにより、モータ４１により攪拌板１６が回転駆動される。ここで、モータ４１は、攪拌部材回転駆動手段を構成している。
【００２９】
コインセンサ３７は、図５に示されるように、制御ユニット部５１に接続されている。また、制御ユニット部５１には、モータ駆動回路５２を介してモータ４１が接続されている。制御ユニット部５１は、遊技機全体の動作を制御するもので、ＲＯＭ及びＲＡＭを含む制御用ＣＰＵ等を有している。
【００３０】
制御ユニット部５１は、遊技状態に応じた枚数のコインＣの払い出しを行うために、モータ駆動回路５２に駆動制御信号を送ってモータ４１を駆動し、その回転力によりギアボックス部４３を介してスパイラル状部材２１を回転駆動する。これにより、ケーシング２２の排出開口部３２からコインＣが一枚ずつ払い出されるが、払い出されたコインＣはコインセンサ３７で検出され、コインセンサ３７からの検出信号によって制御ユニット部５１がコインＣの払出枚数を計数し、所定の枚数に達したときにモータ４１の駆動を停止して、コインＣの払出を終了させる。
【００３１】
次に、上記構成のコイン払出装置１の作動について説明する。
【００３２】
コイン収納部３（ホッパ部１１及びホッパタンク部１２）に多量のコインＣが収納されている状態において、遊技状態に応じて所定枚数のコインＣの払い出しを行うとき、制御ユニット部５１は、モータ駆動回路５２に駆動制御信号を送ってモータ４１を駆動する。これにより、ギアボックス部４３を介してスパイラル状部材２１が回転駆動される。
【００３３】
ところで、コイン収納部３に収納されているコインＣは、整列板１５及び攪拌板１６により、ホッパタンク部１２から整列された状態で排出されて、入口開口部３１からケーシング２２内に入り、図２にも示されるように、スパイラル状部材２１の溝に入り込んだ状態となっている。また、入口開口部３１はスパイラル状部材２１の回転軸を挟んで両側に設けられているので、コインＣは、図３に示されるように、スパイラル状部材２１の回転軸の両側に位置する溝に入り込む。この状態でスパイラル状部材２１が回転駆動されることにより、スパイラル状部材２１の溝に入り込んだ状態のコインＣは、スパイラル状部材２１の溝に係合されつつケーシング２２内を上方に移動（搬送）することになる。なお、ケーシング２２の内側形状は、スパイラル状部材２１の回転と共にコインＣがスパイラル状部材２１の回転軸回りに回転しないように、図３に示されるように、コインＣのスパイラル状部材２１の回転軸回りの移動を規制する形状とされている。
【００３４】
スパイラル状部材２１の回転によりケーシング２２内を移動したコインＣは、突起部２６に当接してこの突起部２６により押し出される形で夫々の排出開口部３２から排出される。このようにして排出開口部３２から排出されたコインＣは、払い出しガイド部３４を通って、遊技機のメダル受け皿（図示せず）に払い出される。
【００３５】
上述したようにして排出されたコインＣが所定の払い出し枚数に達すると、制御ユニット部５１は、モータ駆動回路５２に駆動制御信号を送ってモータ４１を停止し、コインＣの排出を止める。
【００３６】
以上のように、本実施形態のコイン払出装置１にあっては、コイン収納部３（ホッパ部１１及びホッパタンク部１２）とコイン搬送部５とを備えている。このコイン搬送部５は、ケーシング２２内に収容されるスパイラル状部材２１と、モータ４１とを有しており、コイン収納部３（ホッパタンク部１２）から排出されたコインＣをスパイラル状部材２１の溝に係合させつつスパイラル状部材２１をモータ４１により回転駆動させることによりコインＣを搬送して、コインＣを払い出す。これにより、コインＣの払い出しがコイン搬送部５、すなわちスパイラル状部材２１とモータ４１とにより行われることになり、構成部品点数が削減されて低コスト化が可能になると共に、構成の簡素化も可能となる。また、モータ４１により駆動される構成要素が少なくなり、コインＣの払い出し時においてモータ４１に掛かる負荷を可及的に低減することができる。
【００３７】
また、本実施形態のコイン払出装置１にあっては、コイン収納部３（ホッパ部１１及びホッパタンク部１２）から排出されるコインＣを整列させてコイン搬送部５に供給する整列板１５及び攪拌板１６を更に備えているので、コインＣが目詰まりすることなく、コイン収納部３からコイン搬送部５に対してコインＣを確実に供給することができる。
【００３８】
また、攪拌板１６は爪部１６ａを有し、モータ４１により回転駆動されるので、ホッパタンク部１２と整列板１５の端部との間を通って流れ出たコインＣは、攪拌板１６の回転に伴い爪部１６ａにより積極的に攪拌されることになり、コインＣを確実に整列させてホッパタンク部１２（コイン収納部３）から排出することができる。
【００３９】
また、本実施形態のコイン払出装置１にあっては、一つのモータ４１により攪拌板１６及びスパイラル状部材２１を回転駆動するように構成されているので、攪拌板１６を回転駆動させるための動力源とスパイラル状部材２１を回転駆動させるための動力源とが共用されることになり、構成部品点数の増加を抑制してコストの上昇を抑えることができる。
【００４０】
また、ケーシング２２には、ケーシング２２内からコインＣを排出するための排出開口部３２が一対形成されており、この排出開口部３２はスパイラル状部材２１の回転軸を挟んで両側に位置しているので、コイン払出装置１における単位時間当りのコインＣの払い出し枚数を増やすことができ、コインＣの払い出し速度を速くすることができる。
【００４１】
次に、図６及び図７に基づいて、本実施形態の変形例を説明する。
【００４２】
図６に示されたコイン払出装置１０１は、上述した実施形態におけるコイン払出装置１とコイン収納部３の構成に関して相違する。このコイン払出装置１０１は、コイン収納部３として、図６に示されるように、略漏斗状に形成されたホッパ部１１１と、ホッパ部１１１に接続されるコイン整列通路部１２１とを有している。
【００４３】
略漏斗状に形成されたホッパ部１１１の先端部分には、コイン排出口１１４が設けられている。ホッパ部１１１のコイン排出口１１４には、コイン整列通路部１２１が接続されており、ホッパ部１１１に収納されているコインＣは、コイン排出口１１４を介してコイン整列通路部１２１に排出される。ホッパ部１１１には、コインＣがコイン排出口１１４からスムーズに排出されるように、コインＣを攪拌してコイン排出口１１４近傍でのコインＣの詰まりを防止するための攪拌用コイルバネ１１５が配設されている。
【００４４】
コイン整列通路部１２１は、ホッパ部１１１に接続され、ホッパ部１１１から排出されたコインＣを一枚ずつ積層して整列させるためのものであり、第１通路部分１２２と、第２通路部分１２５とを有している。
【００４５】
第１通路部分１２２は、その一端側がホッパ部１１１のコイン排出口１１４に接続され、その他端側が第２通路部分１２５に接続されており、ホッパ部１１１に収納されているコインＣは、コイン排出口１１４を介してコイン整列通路部１２１の第１通路部分１２２に入り、第１通路部分１２２から第２通路部分１２５に向けて流れる。第１通路部分１２２は、ホッパ部１１１に接続される一端側が第２通路部分１２５に接続される他端側よりも高くなるように水平方向に対して傾斜して（たとえば、第１通路部分１２２の通路中心軸が水平方向に対して３０°程度傾斜して）設けられている。
【００４６】
第１通路部分１２２の通路断面形状は、略矩形形状とされている。また、第１通路部分１２２の通路断面積は、第１通路部分１２２の長手方向（コインＣの流れ方向）に向って徐々に小さくなるように、すなわち第１通路部分１２２が徐々に狭くなるように設定されている。第１通路部分１２２の通路底面には、第１通路部分１２２の長手方向に延びる突部が形成されていることが好ましい。この突部を形成することにより、コインＣと第１通路部分１２２の通路底面との接触面積が少なくなり、コインＣの滑りが良くなり、コインＣをスムーズに流すことができる。
【００４７】
第２通路部分１２５は、第１通路部分１２２から第２通路部分１２５に入るコインＣが落下するように第１通路部分１２２に対して交差しており、略鉛直方向に延びて設けられている。第２通路部分１２５の通路断面形状は、略真円形状とされている。第２通路部分１２５の通路内側直径は、コインＣの直径とほぼ同等に設定されており、第２通路部分１２５においてコインＣが１枚ずつ積層されて整列するようになる。
【００４８】
ここで、コイン整列通路部１２１におけるコインＣの流れを説明すると、まず、ホッパ部１１１に収納されたコインＣは、ホッパ部１１１の傾斜面を流れ、コイン排出口１１４からコイン整列通路部１２１の第１通路部分１２２に入る。コイン排出口１１４の近傍では上述したようにコインＣが攪拌用コイルバネ１１５により攪拌され、１０数枚〜数１０枚程度のコインＣがスムーズに第１通路部分１２２に流れ込む。第１通路部分１２２に流れ込んだ１０数枚〜数１０枚程度のコインＣは、第１通路部分１２２内を徐々に流れる。第１通路部分１２２が徐々に狭くなるので、第１通路部分１２２内を流れるコインＣの枚数は徐々に少なくなり、１０数枚程度のコインＣが第２通路部分１２５に入る。
【００４９】
コインＣは、第２通路部分１２５に入ると落下し、この落下によりコインＣが数枚ずつに攪拌されながら、第２通路部分１２５を流れていく。第２通路部分１２５を数枚ずつ流れていくコインＣは、第２通路部分１２５の通路内側直径がコインＣの直径とほぼ同等に設定されていることから、第２通路部分１２５の下端部側において一枚ずつ積層されて、整列されることになる。
【００５０】
図６に戻ると、コイン整列通路部１２１とコイン搬送部５とは連結部１３１により接続されている。連結部１３１は、ベルト及びベルトを駆動するための駆動手段（たとえば、モータ等）を有しており、コイン整列通路部１２１の第２通路部分１２５に積層されて整列されているコインＣをコイン搬送部５に向けて送るように構成されている。連結部１３１により送られたコインＣは、ケーシング２２に形成された入口開口部からケーシング２２内に入る。ケーシング２２に内に入ったコインＣは、上述した実施形態と同様に、ケーシング２２内を上方に移動（搬送）して、ケーシング２２に形成された排出開口部から排出され、払い出しガイド部３４を通って遊技機のメダル受け皿（図示せず）に払い出される。
【００５１】
図７に示されたコイン払出装置２０１は、上述したコイン払出装置１０１を小型化したものである。このコイン払出装置２０１は、案内板２１４を有するホッパ部２１１と、ホッパ部２１１に接続されるコイン整列通路部１２１とを有している。コイン整列通路部１２１とコイン搬送部５とは、図７に示されるように、連結部１３１で接続されており、上述したようにしてコインＣがコイン搬送部５に送られる。
【００５２】
連結部１３１により送られたコインＣは、ケーシング２２に形成された入口開口部からケーシング２２内に入る。ケーシング２２に内に入ったコインＣは、上述した実施形態と同様に、ケーシング２２内を上方に移動（搬送）して、ケーシング２２に形成された排出開口部２３２から排出され、遊技機のメダル受け皿（図示せず）に払い出される。
【００５３】
なお、連結部１３１は、ベルト及びベルトを駆動するための駆動手段を設ける代わりに、コイン整列通路部１２１の第２通路部分１２５に積層されて整列されているコインＣに当接してコインＣを打ち出す回転部材と、この回転部材を回転駆動させる回転駆動手段とを有するように構成して、回転部材によりコインＣを打ち出してコイン搬送部５に送るようにしてもよい。
【００５４】
本発明は、前述した実施形態に限定されるものではなく、上述した数値、各構成部品の形状等も適宜変更して設定することができ、スロットマシン等のコインを遊技媒体とする遊技機のコイン払出装置以外に、両替機、自動販売機、自動券売機、コイン計数装置に用いられる様々なコイン払出装置に適用することができる。
【００５５】
また、本実施形態においては、ケーシング２２の下部に入口開口部３１を形成し、ケーシング２２の上部に排出開口部３２を形成して、スパイラル状部材２１をモータ４１により回転駆動させることによりコインＣを上方に移動させるように構成しているが、これに限られるものではない。たとえば、ケーシング２２の上部に入口開口部３１を形成し、ケーシング２２の下部に排出開口部３２を形成して、スパイラル状部材２１をモータ４１により回転駆動させることによりコインＣを下方に移動させるように構成してもよい。また、スパイラル状部材２１を水平方向に配設して、コインＣを横方向に移動させるように構成してもよい。
【００５６】
また、本実施形態においては、スパイラル状部材回転駆動手段あるいは攪拌部材回転駆動手段としてモータ４１を用いているが、このモータ４１には、ステッピングモータ、又は、ステッピングモータ以外の電動モータ等、その他のアクチュエータを用いるようにしてもよい。
【００５７】
【発明の効果】
以上、詳細に説明したように、本発明によれば、構成部品点数の増加にともなうコストの増加を抑制し、構成を簡素化することが可能なコイン払出装置を提供することができる。また、払い出し時にスパイラル状部材回転駆動手段に掛かる負荷を可及的に低減することができる。
【図面の簡単な説明】
【図１】本発明の実施形態に係るコイン払出装置の全体の外観を示す斜視図である。
【図２】本発明の実施形態に係るコイン払出装置に含まれる、コイン収納部及びコイン搬送部の要部拡大断面図である。
【図３】本発明の実施形態に係るコイン払出装置に含まれる、コイン搬送部の要部拡大断面図である。
【図４】本発明の実施形態に係るコイン払出装置の構成を説明するための分解斜視図である。
【図５】本発明の実施形態に係るコイン払出装置を説明するためのブロック図である。
【図６】本発明の実施形態に係るコイン払出装置の変形例の全体の外観を示す斜視図である。
【図７】本発明の実施形態に係るコイン払出装置の変形例の全体の外観を示す斜視図である。
【符号の説明】
１，１０１，２０１…コイン払出装置、３…コイン収納部、５…コイン搬送部、１１，１１１，２１１…ホッパ部、１２…ホッパタンク部、１５…整列板、１６…攪拌板、１６ａ…爪部、２１…スパイラル状部材、２２…ケーシング、２７…回転軸、３１…入口開口部、３２…排出開口部、４１…モータ、４３…ギアボックス部、１１４…コイン排出口、１２１…コイン整列通路部、１２２…第１通路部分、１２５…第２通路部分、１３１…連結部、２３２…排出開口部、Ｃ…コイン。
【図１】
0003709771.tif 000002
【図２】
0003709771.tif 000003
【図３】
0003709771.tif 000004
【図４】
0003709771.tif 000005
【図５】
0003709771.tif 000006
【図６】
0003709771.tif 000007
【図７】
0003709771.tif 000008